(57)【要約】【課題】  移動度補償を実効的に行う。【解決手段】〔第１工程〕駆動電流を有機ＥＬ素子（８）に供給するための駆動トランジスタ（Ｔｄｒ）のソースに第１電源電位を供給する、〔第２工程〕駆動トランジスタのゲート及びドレインに電気的に接続された第２トランジスタ（Ｔｒ２）を第１期間だけ導通状態にして、容量素子（Ｃ１）に所定の電荷を蓄える、〔第３工程〕駆動トランジスタのソースに、第１電源電位に代えて、それよりも高い第２電源電位を供給する、〔第４工程〕第２トランジスタを第２期間（好適には第１期間よりも短い）だけ導通状態にする、〔第５工程〕駆動トランジスタのゲートに前記駆動電流の大きさを規定するデータ電位を供給する、〔第６工程〕発光制御トランジスタ（Ｔｅｌ）を導通状態として、データ電位に応じた駆動電流を、有機ＥＬ素子に供給する。【選択図】図２
2010224390.tif 000002
【特許請求の範囲】
【請求項１】
駆動電流の大きさに応じた光量で発光する発光素子を備えた単位回路を駆動するための単位回路の駆動方法であって、
前記駆動電流を前記発光素子に供給するための駆動トランジスタのソースに第１電源電位を供給する第１工程と、
当該第１工程の後、前記駆動トランジスタのゲート及びドレインに電気的に接続された第１スイッチング素子を第１期間だけ導通状態にして、当該駆動トランジスタのゲート及びソースに電気的に接続された容量素子に所定の電荷を蓄える第２工程と、
当該第２工程の後、前記駆動トランジスタのソースに、前記第１電源電位に代えて、当該第１電源電位よりも高い第２電源電位を供給する第３工程と、
当該第３工程の後、前記第１スイッチング素子を第２期間だけ導通状態にする第４工程と、
前記駆動トランジスタのゲートに前記駆動電流の大きさを規定するデータ電位を供給する第５工程と、
前記駆動トランジスタのドレイン及び前記発光素子に電気的に接続された第２スイッチング素子を導通状態として、前記データ電位に応じた前記駆動電流を、当該発光素子に供給する第６工程と、
を含むことを特徴とする単位回路の駆動方法。
【請求項２】
前記単位回路は、
前記第１及び第２電源電位をそれぞれ供給するための第１及び第２電源線と、
前記第１電源線と前記駆動トランジスタのソースとに電気的に接続された第３スイッチング素子と、
前記第２電源線と前記駆動トランジスタのソースとに電気的に接続された第４スイッチング素子と、
を含み、
前記第１工程は、前記第３スイッチング素子を導通状態にする工程を含み、
前記第３工程は、前記第４スイッチング素子を導通状態にする工程を含む、
ことを特徴とする請求項１に記載の単位回路の駆動方法。
【請求項３】
前記単位回路は、
前記第１スイッチング素子とは並列関係となるように、
前記駆動トランジスタのゲート及びドレインに電気的に接続された第５スイッチング素子と、
当該第５スイッチング素子の一端に電気的に接続された移動度補償トランジスタと、
を含み、
前記第４工程に代えて、
前記第５スイッチング素子を第３期間だけ導通状態にするとともに、当該第３期間中、前記移動度補償トランジスタのゲートに前記データ電位に応じたパルス幅をもつ移動度補償制御信号を供給する第７工程、
を含むことを特徴とする請求項１又は２に記載の単位回路の駆動方法。
【請求項４】
前記第３及び第４スイッチング素子の導通及び非導通状態間の遷移を制御する制御信号は、
前記第１スイッチング素子の導通及び非導通状態間の遷移を制御する制御信号と共用される、
ことを特徴とする請求項３に記載の単位回路の駆動方法。
【請求項５】
駆動電流の大きさに応じた光量で発光する発光素子を備えた単位回路であって、
ゲートに与えられるデータ電位に応じた前記駆動電流を前記発光素子に供給するための駆動トランジスタと、
前記駆動トランジスタのゲート及びソースに電気的に接続された容量素子と、
前記駆動トランジスタのゲート及びドレインに電気的に接続された第６スイッチング素子と、
前記駆動トランジスタのソースに、第１電源電位及び当該第１電源電位よりも高い第２電源電位を相補的に供給する電源供給手段と、
前記第６スイッチング素子とは並列関係となるように、
前記駆動トランジスタのゲート及びドレインに電気的に接続された第７スイッチング素子と、
当該第７スイッチング素子の一端に電気的に接続され、前記データ電位に応じたパルス幅をもつ移動度補償制御信号がゲートに与えられることで、その動作態様が制御される移動度補償トランジスタと、
を備えることを特徴とする単位回路。
【請求項６】
駆動電流の大きさに応じた光量で発光する発光素子を備えた単位回路が、マトリクス状配列に従って複数配列された構成を備える電気光学装置を駆動するための電気光学装置の駆動方法であって、
前記駆動電流を前記発光素子に供給するための駆動トランジスタのソースに第１電源電位を供給する第１工程と、
当該第１工程の後、前記駆動トランジスタのゲート及びドレインに電気的に接続され、前記マトリクス状配列中のある行に属する第１スイッチング素子を第１期間だけ導通状態にする第２工程と、
当該第２工程の後、前記駆動トランジスタのソースに、前記第１電源電位に代えて、当該第１電源電位よりも高い第２電源電位を供給する第３工程と、
当該第３工程の後、前記第１スイッチング素子を第２期間だけ導通状態にする第４工程と、
前記駆動トランジスタのゲートに前記駆動電流の大きさを規定するデータ電位を供給する第５工程と、
前記駆動トランジスタのドレイン及び前記発光素子に電気的に接続され、前記ある行に属する第２スイッチング素子を導通状態として、前記データ電位に応じた前記駆動電流を、当該発光素子に供給する第６工程と、
を含むことを特徴とする電気光学装置の駆動方法。
【請求項７】
前記電気光学装置は、
前記マトリクス状配列中の各列に沿って延びる、前記第１及び第２電源電位をそれぞれ供給するための第１及び第２電源線と、
前記単位回路毎に設けられ、かつ、前記第１電源線と前記駆動トランジスタのソースとに電気的に接続された第３スイッチング素子と、
前記単位回路毎に設けられ、かつ、前記第２電源線と前記駆動トランジスタのソースとに電気的に接続された第４スイッチング素子と、
を含み、
前記マトリクス状配列中の各行を一単位として、
前記第１工程は、前記第３スイッチング素子を導通状態にする工程を含み、
前記第３工程は、前記第４スイッチング素子を導通状態にする工程を含む、
ことを特徴とする請求項６に記載の電気光学装置の駆動方法。
【請求項８】
前記単位回路の各々は、
前記第１スイッチング素子とは並列関係となるように、
前記駆動トランジスタのゲート及びドレインに電気的に接続された第５スイッチング素子と、
当該第５スイッチング素子の一端に電気的に接続された移動度補償トランジスタと、
を含み、
前記第４工程に代えて、
前記第５スイッチング素子を第３期間だけ導通状態にするとともに、当該第３期間中、前記移動度補償トランジスタのゲートに前記データ電位に応じたパルス幅をもつ移動度補償制御信号を供給する第７工程、
を含むことを特徴とする請求項６又は７に記載の電気光学装置の駆動方法。
【請求項９】
前記電気光学装置は、
前記マトリクス状配列中の各列に沿って延びる、第１及び第２データ線と、
前記第５工程において前記第１データ線に前記データ電位を供給するデータ線駆動回路と、
を含み、
前記第７工程では、
前記データ線駆動回路が、前記第２データ線に前記移動度補償制御信号を供給する工程、
を含むことを特徴とする請求項８に記載の電気光学装置の駆動方法。
【請求項１０】
前記電気光学装置は、
前記マトリクス状配列中の各行に沿って延びる、複数の走査線と、
これら複数の走査線の各々に固有の制御信号を供給する走査線駆動回路と、
を含み、
前記第１、第２、第３、第６、及び第７工程の少なくとも２つ以上の工程では、
前記走査線駆動回路が、当該工程に対応する前記第３、第１、第４、第２、及び第５スイッチング素子に電気的に接続された前記走査線に前記制御信号を供給する工程、
を含むことを特徴とする請求項６乃至９のいずれか一項に記載の電気光学装置の駆動方法。
【請求項１１】
前記第３及び第４スイッチング素子の導通及び非導通状態間の遷移を制御するための制御信号は、
前記第１スイッチング素子の導通及び非導通状態間の遷移を制御するための制御信号と共用される、
ことを特徴とする請求項１０に記載の電気光学装置の駆動方法。
【請求項１２】
前記マトリクス状配列中のある行に属する前記第１スイッチング素子の導通及び非導通状態間の遷移を制御するための制御信号は、
前記ある行の隣に位置する行に属する前記第５スイッチング素子の導通及び非導通状態間の遷移を制御するための制御信号と共用される、
ことを特徴とする請求項１０又は１１に記載の電気光学装置の駆動方法。
【発明の詳細な説明】
【技術分野】
【０００１】
本発明は、有機ＥＬ（electro luminescent）素子等の発光素子を含む単位回路、並びに単位回路及び当該単位回路を含む電気光学装置の駆動方法に関する。
【背景技術】
【０００２】
薄型で軽量な発光源として、ＯＬＥＤ（organic light emitting diode）、即ち有機ＥＬ素子がある。有機ＥＬ素子は、有機材料を含む少なくとも一層の有機薄膜を画素電極と対向電極とで挟んだ構造を有する。このうち画素電極は例えば陽極として、対向電極は陰極として機能する。両者間に電流が流されると、前記有機薄膜で電子及び正孔間の再結合が生じ、これにより、当該有機薄膜ないしは有機ＥＬ素子は発光する。
かかる有機ＥＬ素子、ないしはこれを備えた画像表示装置としては、例えば特許文献１に開示されているようなものが知られている。
【先行技術文献】
【特許文献】
【０００３】
【特許文献１】特開２００７−３１０３１１号公報
【発明の概要】
【発明が解決しようとする課題】
【０００４】
ところで、上述のような有機ＥＬ素子は、適当な構成をもつ駆動回路によって駆動される。駆動回路としては例えば、駆動トランジスタのゲート電位に応じてそのソース・ドレイン間に流れる電流を有機ＥＬ素子に供給するものがある。この場合、そのゲート電位の調整を通じて、有機ＥＬ素子の発光輝度の調整等が可能になる。
もっとも、このような駆動回路には様々な解決すべき課題がある。例えば、その１つに、前記駆動トランジスタの移動度、あるいは閾値電圧等の各種特性のバラツキがある。前述した画像表示装置は通常、多数の有機ＥＬ素子、及びそれら各々に付随する前記駆動トランジスタを含む駆動回路を備えるが、製造プロセス上の各種パラメータのバラツキ等が要因となって、これら複数の駆動トランジスタの各々の特性がばらつけば、各有機ＥＬ素子の発光輝度の調整等にもバラツキが生じることになり、その結果、表示画像の品質向上の障害となる。
【０００５】
前記の特許文献１は、このような問題に対処する技術を開示し、閾値電圧の補正を行うことに加えて（特許文献１の〔請求項１〕参照）、駆動トランジスタのゲートに、「駆動用トランジスタの移動度に対する補正を信号電位に加える」ことによって、移動度のバラツキに対処する技術を開示する（特許文献１の〔請求項２〕）。
【０００６】
しかしながら、この特許文献１における移動度補償も問題の完全な解消を実現するわけではない。このことは、同文献の〔請求項２〕にいう「第１及び第２のタイミングの間の期間を『適切に』設定」という表現からも推察される。ちなみに、この「第１及び第２のタイミング」間の設定に関し、特許文献１が具体的に開示する手法は、「映像信号電位の立ち上がりに傾斜をつけることで、移動度補正期間を…映像信号電位に自動的に追随させ」るというものであるが（特許文献１の〔００３２〕）、前記期間の設定がこれによって安定的に行われるかどうかについては、全く問題がないとはいえない。なお、特許文献１では電源電位に関する「第１電位」及び「第２電位」の切替えが行われるが、これはもっぱら閾値電圧補償のために用いられることが前提とされているため、それらの電位間の関係が一定程度制約され得る点において、後述する本発明の観点からは相違点と認識される。また、このような供給電源電位の切替えは、例えば装置全体の消費電力の増大をもたらさないか、等々の問題を生じさせる可能性もある。
【０００７】
本発明は、上述した課題の少なくとも一部を解決することの可能な単位回路、並びに単位回路及び電気光学装置の駆動方法を提供することを課題とする。
また、本発明は、かかる態様の単位回路、並びに単位回路及び電気光学装置の駆動方法に関連する課題を解決可能な、単位回路、並びに単位回路及び電気光学装置の駆動方法を提供することをも課題とする。
【課題を解決するための手段】
【０００８】
本発明に係る単位回路の駆動方法は、上述した課題を解決するため、駆動電流の大きさに応じた光量で発光する発光素子を備えた単位回路を駆動するための単位回路の駆動方法であって、前記駆動電流を前記発光素子に供給するための駆動トランジスタのソースに第１電源電位を供給する第１工程と、当該第１工程の後、前記駆動トランジスタのゲート及びドレインに電気的に接続された第１スイッチング素子を第１期間だけ導通状態にして、当該駆動トランジスタのゲート及びソースに電気的に接続された容量素子に所定の電荷を蓄える第２工程と、当該第２工程の後、前記駆動トランジスタのソースに、前記第１電源電位に代えて、当該第１電源電位よりも高い第２電源電位を供給する第３工程と、当該第３工程の後、前記第１スイッチング素子を第２期間だけ導通状態にする第４工程と、前記駆動トランジスタのゲートに前記駆動電流の大きさを規定するデータ電位を供給する第５工程と、前記駆動トランジスタのドレイン及び前記発光素子に電気的に接続された第２スイッチング素子を導通状態として、前記データ電位に応じた前記駆動電流を、当該発光素子に供給する第６工程と、を含む。
【０００９】
本発明によれば、まず、前述の第２工程によって、閾値電圧補償が行われる。この場合、前記「所定の電荷」は、当該駆動トランジスタの閾値電圧に概ね対応する。
そして、本発明では特に、この閾値電圧補償動作を前提にして、第１電源電位に代えた第２電源電位の利用（前記第３工程）、及び、その第２電源電位の利用状況下における、駆動トランジスタのダイオード接続の実現（前記第４工程）が行われる。これによると、駆動トランジスタのゲート電位は、第２電源電位と第１電源電位との差に応じ、かつ、当該駆動トランジスタの移動度特性に応じて、上昇する。すなわち、移動度が大きければ当該上昇分は大きく、その逆に、移動度が小さければ小さくなる。これによって、本発明に係る単位回路が仮に複数あるとすれば、それら各単位回路に含まれる各駆動トランジスタ間の移動度のバラツキは補償されることになる。ちなみに、第２電源電位は第１電源電位よりも高い電位であるが、その程度（即ち、両者間の、より具体的な関係）については、本発明において特別な限定を要求しない。つまり、“第２電源電位は第１電源電位よりも高い”という条件さえ満たされていればよい。
このようにして、本発明によれば、閾値電圧補償が行われるとともに、移動度補償も好適に行われる。しかも、かかる効果は、上述したような極めて簡易な構成を前提とした上で享受可能である。
なお、前記の「第１期間」及び「第２期間」の関係について、本発明は基本的には限定しないが、好ましくは、前者が閾値電圧補償に、後者が移動度補償に関与することに鑑みて、第１期間は、第２期間よりも長く（更に好ましくは、十分に長く）設定されるとよい。
【００１０】
この発明の単位回路の駆動方法では、前記単位回路は、前記第１及び第２電源電位をそれぞれ供給するための第１及び第２電源線と、前記第１電源線と前記駆動トランジスタのソースとに電気的に接続された第３スイッチング素子と、前記第２電源線と前記駆動トランジスタのソースとに電気的に接続された第４スイッチング素子と、を含み、前記第１工程は、前記第３スイッチング素子を導通状態にする工程を含み、前記第３工程は、前記第４スイッチング素子を導通状態にする工程を含む、ように構成してもよい。
この態様によれば、第１及び第２電源電位それぞれのために、第１及び第２電源線が用意されるので、例えば第１及び第２電源電位を供給するために１本の電源線を共用して使うなどといった場合に比べて、例えば消費電力の増大がもたらされるといった不具合を被るおそれが極めて低減される。
【００１１】
また、本発明の単位回路の駆動方法では、前記単位回路は、前記第１スイッチング素子とは並列関係となるように、前記駆動トランジスタのゲート及びドレインに電気的に接続された第５スイッチング素子と、当該第５スイッチング素子の一端に電気的に接続された移動度補償トランジスタと、を含み、前記第４工程に代えて、前記第５スイッチング素子を第３期間だけ導通状態にするとともに、当該第３期間中、前記移動度補償トランジスタのゲートに前記データ電位に応じたパルス幅をもつ移動度補償制御信号を供給する第７工程、を含む、ように構成してもよい。
この態様によれば、前述した第４工程、即ち第１スイッチング素子を導通状態とすることによって、移動度補償動作を行うのに代えて、第５スイッチング素子を導通状態とすることによって、それを行うようなことになる（この場合好ましくは、第１スイッチング素子は非導通状態とされる。）。そして、この第５スイッチング素子の一端には移動度補償トランジスタが接続されており、そのゲートには、データ電位に応じたパルス幅をもつ移動度補償制御信号が供給される。したがって、本態様によれば、移動度補償が、データ電位の大きさに依存するかたちで行われることになる。
一般に、移動度補償の結果享受される効果は、発光素子が如何なる階調で発光するかによって異なることが知られているから、前述したような移動度補償が行われることによれば、発光階調の相違に関わることなく移動度補償効果を享受することができる。あるいは同じことであるが、本態様によれば、発光素子がどのような階調で発光するとしても、ほぼ常に、十分な移動度補償効果を享受することができる。
なお、本態様にいう「第３期間」の長さは特に限定されないが、前記「パルス幅」として予測される最長のものに対応するように定められると好適である。より一般的にいえば、この「第３期間」は、本発明に含まれる発光素子において表示すべき発光階調に応じて定められるとよい。
【００１２】
この態様では、前記第３及び第４スイッチング素子の導通及び非導通状態間の遷移を制御する制御信号は、前記第１スイッチング素子の導通及び非導通状態間の遷移を制御する制御信号と共用される、ように構成してもよい。
この態様は、前述した第１及び第２電源線を含む態様と、移動度補償トランジスタを含む態様とが並存する形態を前提とする。そして、この場合において、本態様によれば、第１及び第２電源電位の実質的な切替えに関与する第３及び第４スイッチング素子の制御信号と、閾値電圧補償動作に関与する第１スイッチング素子の制御信号とが共用されるようになっているので、これら各々に別々の制御信号を供給するなどといった場合に比べて、制御方法の簡略化、装置構成・回路規模の簡易化・縮小化等を実現することができる。
なお、本態様は、例えば、第３及び第１スイッチング素子に、全く同じ制御信号を使い、第４スイッチング素子に、その制御信号を反転した制御信号を使う、といった場合を含む。本態様にいう「共用」には、このような態様が含まれる。
【００１３】
一方、本発明に係る単位回路は、上記課題を解決するため、駆動電流の大きさに応じた光量で発光する発光素子を備えた単位回路であって、ゲートに与えられるデータ電位に応じた前記駆動電流を前記発光素子に供給するための駆動トランジスタと、前記駆動トランジスタのゲート及びソースに電気的に接続された容量素子と、前記駆動トランジスタのゲート及びドレインに電気的に接続された第６スイッチング素子と、前記駆動トランジスタのソースに、第１電源電位及び当該第１電源電位よりも高い第２電源電位を相補的に供給する電源供給手段と、前記第６スイッチング素子とは並列関係となるように、前記駆動トランジスタのゲート及びドレインに電気的に接続された第７スイッチング素子と、当該第７スイッチング素子の一端に電気的に接続され、前記データ電位に応じたパルス幅をもつ移動度補償制御信号がゲートに与えられることで、その動作態様が制御される移動度補償トランジスタと、を備える。
【００１４】
本発明によれば、上述した本発明に係る「単位回路の駆動方法」に関して述べたような動作機序により、それによって奏された作用効果と同様の作用効果が奏される。
【００１５】
一方、本発明に係る電気光学装置の駆動方法は、上記課題を解決するため、駆動電流の大きさに応じた光量で発光する発光素子を備えた単位回路が、マトリクス状配列に従って複数配列された構成を備える電気光学装置を駆動するための電気光学装置の駆動方法であって、前記駆動電流を前記発光素子に供給するための駆動トランジスタのソースに第１電源電位を供給する第１工程と、当該第１工程の後、前記駆動トランジスタのゲート及びドレインに電気的に接続され、前記マトリクス状配列中のある行に属する第１スイッチング素子を第１期間だけ導通状態にする第２工程と、当該第２工程の後、前記駆動トランジスタのソースに、前記第１電源電位に代えて、当該第１電源電位よりも高い第２電源電位を供給する第３工程と、当該第３工程の後、前記第１スイッチング素子を第２期間だけ導通状態にする第４工程と、前記駆動トランジスタのゲートに前記駆動電流の大きさを規定するデータ電位を供給する第５工程と、前記駆動トランジスタのドレイン及び前記発光素子に電気的に接続され、前記ある行に属する第２スイッチング素子を導通状態として、前記データ電位に応じた前記駆動電流を、当該発光素子に供給する第６工程と、を含む。
【００１６】
本発明によれば、上述した本発明に係る「単位回路の駆動方法」を実質的に含んでいるので、それによって奏された作用効果と同様の作用効果が奏される。
なお、本発明においては、単位回路がマトリクス状に配列されていること、並びに、そのマトリクス状配列に含まれる第１及び第２スイッチング素子のうち、ある行に属する一群のスイッチング素子について、一斉に導通及び非導通状態間の遷移が行われること、が前提されている。このようなことは、以下に述べる各種態様に含まれる各要素（例えば、第３スイッチング素子等々）ついて同様にあてはまる場合がある。
【００１７】
この発明に係る電気光学装置の駆動方法では、前記電気光学装置は、前記マトリクス状配列中の各列に沿って延びる、前記第１及び第２電源電位をそれぞれ供給するための第１及び第２電源線と、前記単位回路毎に設けられ、かつ、前記第１電源線と前記駆動トランジスタのソースとに電気的に接続された第３スイッチング素子と、前記単位回路毎に設けられ、かつ、前記第２電源線と前記駆動トランジスタのソースとに電気的に接続された第４スイッチング素子と、を含み、前記マトリクス状配列中の各行を一単位として、前記第１工程は、前記第３スイッチング素子を導通状態にする工程を含み、前記第３工程は、前記第４スイッチング素子を導通状態にする工程を含む、ように構成してもよい。
この態様によれば、上述した本発明に係る「単位回路の駆動方法」のうち、第１及び第２電源線等を含んでなる態様を実質的に含んでいるので、それによって奏された作用効果と同様の作用効果が奏される。
【００１８】
また、本発明に係る電気光学装置の駆動方法では、前記単位回路の各々は、前記第１スイッチング素子とは並列関係となるように、前記駆動トランジスタのゲート及びドレインに電気的に接続された第５スイッチング素子と、当該第５スイッチング素子の一端に電気的に接続された移動度補償トランジスタと、を含み、前記第４工程に代えて、前記第５スイッチング素子を第３期間だけ導通状態にするとともに、当該第３期間中、前記移動度補償トランジスタのゲートに前記データ電位に応じたパルス幅をもつ移動度補償制御信号を供給する第７工程、を含む、ように構成してもよい。
この態様によれば、上述した本発明に係る「単位回路の駆動方法」のうち、移動度補償トランジスタ等を含んでなる態様を実質的に含んでいるので、それによって奏された作用効果と同様の作用効果が奏される。
【００１９】
この態様では、前記電気光学装置は、前記マトリクス状配列中の各列に沿って延びる、第１及び第２データ線と、前記第５工程において前記第１データ線に前記データ電位を供給するデータ線駆動回路と、を含み、前記第７工程では、前記データ線駆動回路が、前記第２データ線に前記移動度補償制御信号を供給する工程、を含む、ように構成してもよい。
この態様によれば、データ線駆動回路が効率的に利用される。すなわち、前述のように、移動度補償制御信号のパルス幅はデータ電位に応じることから、これとデータ電位とが１個のまとまりのあるデータ線駆動回路によって生成・供給されるのであれば、効率的である。これにより、本態様によれば、制御方法の簡略化、装置構成・回路規模の簡易化・縮小化等を実現することができる。
【００２０】
また、本発明の電気光学装置の駆動方法では、前記電気光学装置は、前記マトリクス状配列中の各行に沿って延びる、複数の走査線と、これら複数の走査線の各々に固有の制御信号を供給する走査線駆動回路と、を含み、前記第１、第２、第３、第６、及び第７工程の少なくとも２つ以上の工程では、前記走査線駆動回路が、当該工程に対応する前記第３、第１、第４、第２、及び第５スイッチング素子に電気的に接続された前記走査線に前記制御信号を供給する工程、を含む、ように構成してもよい。
この態様によれば、走査線駆動回路が効率的に利用される。すなわち、本態様では、より具体的には例えば、第２工程と第６工程とにおいて行われる第１及び第２スイッチング素子の導通・非導通状態間の遷移に係る制御信号が、１個のまとまりのある走査線駆動回路によって生成・供給されることになるので、効率的である。これにより、本態様によれば、制御方法の簡略化、装置構成・回路規模の簡易化・縮小化等を実現することができる。
【００２１】
この態様では、前記第３及び第４スイッチング素子の導通及び非導通状態間の遷移を制御するための制御信号は、前記第１スイッチング素子の導通及び非導通状態間の遷移を制御するための制御信号と共用される、ように構成してもよい。
この態様によれば、まず、上述した本発明に係る「単位回路の駆動方法」のうち、第３・第４スイッチング素子と第１スイッチング素子とに使われる制御信号の「共用」が行われる態様を実質的に含んでいるので、それによって奏された作用効果と同様の作用効果が奏される。
そしてこの際、本態様では特に、直前に述べた態様によって奏された効果に加えて、制御信号の共用化に伴う走査線の共用化も可能になるという効果が享受される。つまり、本態様では、前述のように、第３・第４スイッチング素子と第１スイッチング素子とに使われる制御信号が共用化されることから、例えば、第３及び第１スイッチング素子に１本の走査線をあて、第４スイッチング素子に別の１本の走査線をあてる、などということが可能になる（前述した、“反転”制御信号を利用する例に関する説明参照。）。これによれば、これら各スイッチング素子に個別に走査線を設ける場合に比べて、走査線の本数を減らすことができる。
【００２２】
また、「走査線駆動回路」を含む態様では、前記マトリクス状配列中のある行に属する前記第１スイッチング素子の導通及び非導通状態間の遷移を制御するための制御信号は、前記ある行の隣に位置する行に属する前記第５スイッチング素子の導通及び非導通状態間の遷移を制御するための制御信号と共用される、ように構成してもよい。
この態様によれば、マトリクス状配列中、隣接する各行間で制御信号の共用化が図られているので、前述した、制御方法の簡略化、装置構成・回路規模の簡易化・縮小化等をより実効的に実現することができる。
【図面の簡単な説明】
【００２３】
【図１】本発明の第１実施形態に係る有機ＥＬ装置を示す平面図である。
【図２】図１の有機ＥＬ装置を構成する単位回路の詳細を示す回路図である。
【図３】図２の単位回路の動作を説明するためのタイミングチャートである。
【図４】本発明の第２実施形態に係る単位回路の詳細を示す回路図である。
【図５】図４の単位回路の動作を説明するためのタイミングチャートである。
【図６】本発明の第３実施形態に係る単位回路の詳細を示す回路図である。
【図７】図６の単位回路の動作を説明するためのタイミングチャートである。
【図８】本発明の第１及び第３実施形態の組み合わせに係る単位回路の詳細を示す回路図である。
【図９】図８の単位回路の動作を説明するためのタイミングチャートである。
【図１０】本発明の第１実施形態の変形例に係る単位回路の詳細を示す回路図である。
【図１１】図１０の単位回路の動作を説明するためのタイミングチャートである。
【図１２】本発明に係る有機ＥＬ装置を適用した電子機器を示す斜視図である。
【図１３】本発明に係る有機ＥＬ装置を適用した他の電子機器を示す斜視図である。
【図１４】本発明に係る有機ＥＬ装置を適用したさらに他の電子機器を示す斜視図である。
【発明を実施するための形態】
【００２４】
＜第１実施形態＞
以下では、本発明に係る第１の実施の形態について図１及び図２を参照しながら説明する。なお、ここに言及した図１及び図２に加え、以下で参照する各図面においては、各部の寸法の比率が実際のものとは適宜に異ならせてある場合がある。
【００２５】
有機ＥＬ装置１００は、図１に示すように、素子基板７と、この素子基板７上に形成される各種の要素とを備えている。各種の要素とは、有機ＥＬ素子８、走査線３及びデータ線６、電源線１１３、走査線駆動回路１０３、データ線駆動回路１０６、並びに制御回路ＣＵ等である。
【００２６】
有機ＥＬ素子（発光素子）８は、図１に示すように、素子基板７上に複数備えられる。それら複数の有機ＥＬ素子８はＮ行×Ｍ列のマトリクス状に配列されている（Ｎ，Ｍは自然数）。有機ＥＬ素子８の各々は、陽極としての画素電極、発光機能層及び陰極としての対向電極から構成されている。
画像表示領域７ａは、素子基板７上、これら複数の有機ＥＬ素子８が配列されている領域である。画像表示領域７ａでは、各有機ＥＬ素子８の個別の発光及び非発光に基づき、所望の画像が表示され得る。なお、以下では、素子基板７の面のうち、この画像表示領域７ａを除く領域を、「周辺領域」と呼ぶ。
【００２７】
走査線３及びデータ線６は、それぞれ、マトリクス状に配列された有機ＥＬ素子８の各行及び各列に対応するように配列されている。より詳しくは、走査線３は、図１に示すように、図中左右方向に沿って延び、かつ、周辺領域上に形成されている走査線駆動回路１０３に接続されている。一方、データ線６は、図中上下方向に沿って延び、かつ、周辺領域上に形成されているデータ線駆動回路１０６に接続されている。電源線１１３は、このデータ線６と並行するように配列されている。この電源線１１３には、電源回路ＣＥＬが接続されている。この電源回路ＣＥＬは、高電源電位ＶＥＬ２、低電源電位ＶＥＬ１（＜ＶＥＬ２）を電源線１１３に供給するが、この点については改めて後に述べる。
前記のうち走査線駆動回路１０３は、走査線３のそれぞれを順番に選択するための回路である。また、データ線駆動回路１０６は、走査線駆動回路１０３によって選択された走査線３に対応する各有機ＥＬ素子８に向けて、各データ線６を通じてデータ信号を供給するための回路である。
制御回路ＣＵは、これら走査線駆動回路１０３及びデータ線駆動回路１０６を制御して、走査線３の選択順序、あるいはデータ信号の供給タイミング等を決定する。
【００２８】
各走査線３及び各データ線６の各交点の近傍には、前述の有機ＥＬ素子８等を含む単位回路（画素回路）Ｐ１が設けられている。
【００２９】
単位回路Ｐ１は、図２に示すように、前述の有機ＥＬ素子８を含むほか、駆動トランジスタＴｄｒ、発光制御トランジスタＴｅｌ、第１・第２トランジスタＴｒ１・Ｔｒ２、及び第１・第２容量素子Ｃ１・Ｃ２を含む。
なお、図１では便宜的に１本の配線として図示された走査線３は、図２に示すように実際には３本の配線を含む。各配線には走査線駆動回路１０３から所定の信号が供給される。より詳細には、これら各配線には、それぞれ、走査信号ＧＷＲＴ[ｉ]、リセット信号ＲＳＴ[ｉ]、及び発光制御信号ＧＥＬ[ｉ]が供給される。これら各信号の具体的な意義やこれに応じた単位回路Ｐ１の動作については後述する。なお、ここで使われた符号ｉは、前記マトリクス状配列の中の行番号を意味する（図１参照。１本の走査線３が３本の配線からなるので、全走査線３に含まれる配線数は結局、３Ｎ本である。）。
【００３０】
駆動トランジスタＴｄｒはｐチャネル型であり、電源線１１３から有機ＥＬ素子８の画素電極に至る経路上にある。この駆動トランジスタＴｄｒのソース（Ｓ）は電源線１１３に接続される。
この駆動トランジスタＴｄｒは、ソース（Ｓ）とドレイン（Ｄ）との導通状態（ソース−ドレイン間の抵抗値）がゲート電位Ｖgに応じて変化することで当該ゲート電位Ｖgに応じた駆動電流Ｉelを生成する手段である。なお、ゲート電位Ｖｇは、データ線６を通じて供給されるデータ信号Ｄａｔａの大きさに応じる。
こうして、有機ＥＬ素子８は、駆動トランジスタＴｄｒの導通状態、ないしはデータ信号Ｄａｔａに応じて駆動される。
【００３１】
発光制御トランジスタＴｅｌは、ｐチャネル型であり、駆動トランジスタＴｄｒと有機ＥＬ素子８の画素電極との間にある。この発光制御トランジスタＴｅｌのゲートには、前記発光制御信号ＧＥＬ[ｉ]が供給される。この発光制御信号ＧEL[ｉ]がローレベルに遷移すると発光制御トランジスタＴｅｌがオン状態に変化して有機ＥＬ素子８に対する駆動電流Ｉｅｌの供給が可能となる。これにより、有機ＥＬ素子８は駆動電流Ｉｅｌに応じた階調（輝度）で発光する。これに対して、発光制御信号ＧＥＬ[ｉ]がハイレベルである場合には発光制御トランジスタＴｅｌがオフ状態を維持するから、駆動電流Ｉｅｌの経路が遮断されて有機ＥＬ素子８は消灯する。
なお、有機ＥＬ素子８の画素電極は、前記駆動トランジスタＴｄｒを介して前述した電源電位ＶＥＬ１又はＶＥＬ２が供給される電源線１１３に接続され、その対向電極は基準電位ＶＣＴが供給される電位線（不図示）に接続される。
【００３２】
第１・第２容量素子Ｃ１・Ｃ２は、いずれも、２つの電極間に誘電体が介挿された素子である。それぞれの容量値は、Ｃｈ１及びＣｃである。
第１容量素子Ｃ１の一方の電極（図中上方の電極）は電源線１１３に接続され、その他方の電極はノードＺ１に接続される。
一方、第２容量素子Ｃ２の一方の電極（図中右方の電極）はノードＺ１に接続され、その他方の電極は第１トランジスタＴｒ１を介してデータ線６に接続される。
【００３３】
第１トランジスタＴｒ１は、ノードＺ１とデータ線６との間に介在して両者の電気的な導通を制御するスイッチング素子である。第１トランジスタＴｒ１のゲートには前記の走査信号ＧＷＲＴ[ｉ]が供給される。
第２トランジスタＴｒ２は、ノードＺ１と駆動トランジスタＴｄｒのドレインとの間に設けられ両者の電気的な導通を制御するスイッチング素子である。第２トランジスタＴｒ２のゲートには前記のリセット信号ＲＳＴ[ｉ]が供給される。
なお、第１及び第２トランジスタＴｒ１及びＴｒ２のいずれもｐチャネル型である。
また、これら第１及び第２トランジスタＴｒ１及びＴｒ２は、それぞれ、本発明にいう「第２スイッチング素子」及び「第１スイッチング素子」の一具体例に該当する。
【００３４】
次に、以上のような構成をもつ有機ＥＬ装置１００、特に単位回路Ｐ１の動作ないし作用及び効果について、既に参照した図１及び図２に加えて図３を参照しながら説明する。
【００３５】
〔ｉ〕閾値電圧補償：  まず、電源回路ＣＥＬは、電源線１１３に低電源電位ＶＥＬ１を供給する。また、これと同期して、データ線６には初期化電位ＶＳＴが供給されるとともに、走査信号ＧＷＲＴ[ｉ]が図３に示すようにローレベルとなって第１トランジスタＴｒ１がＯＮとなる。これにより、第１トランジスタＴｒ１側に位置する第２容量素子Ｃ２の電極は初期化電位ＶＳＴに固定される。
以上を前提に、リセット信号ＲＳＴ[ｉ]が、図３に示すようにローレベルとなる。これにより、第２トランジスタＴｒ２がオン状態となり、駆動トランジスタＴｄｒのゲートとドレインが短絡される。すなわち、駆動トランジスタＴｄｒはダイオード接続され、そのゲート・ソース間電圧が閾値電圧Ｖｔｈに漸近する。したがって、ゲート電位Ｖｇは、Ｖｇ＝ＶＥＬ１−Ｖｔｈに漸近する。なお、この一連の過程中、第１容量素子Ｃ１は閾値電圧Ｖｔｈを保持する。
このような動作は、各単位回路Ｐ１に含まれる駆動トランジスタＴｄｒ間でみられる閾値電圧Ｖｔｈのバラツキを補償する。なお、第１実施形態では、このような閾値電圧補償動作は、ゲート電位Ｖｇが完全にＶＥＬ１−Ｖｔｈに一致ないし一定程度近づく時点、あるいはそれを見込んだ所定の経過時間をもって打ち切られる。すなわち、そのような時点において、リセット信号ＲＳＴ[ｉ]は再びハイレベルに遷移し、その後に、電源回路ＣＥＬは、電源線１１３に高電源電位ＶＥＬ２を供給するようになる（図３参照）。
【００３６】
〔ｉｉ〕移動度補償：  次に、電源線１１３に高電源電位ＶＥＬ２が供給されるようになった後、好適にはそれから一定の時間の経過の後、リセット信号ＲＳＴ[ｉ]が、再びローレベルに遷移する。このローレベルを維持する期間は、少なくとも前記の〔ｉ〕閾値電圧補償動作におけるそれよりも短く、比ゆ的に言えばいわば一瞬ともいえる期間である。なお、第１トランジスタＴｒ１側に位置する第２容量素子Ｃ２の電極の初期化電位ＶＳＴへの固定は継続される（図３参照）。
これによると、駆動トランジスタＴｄｒのソース及び第１容量素子Ｃ１の図中上方の電極に、高電源電位ＶＥＬ２が供給されると同時に、駆動トランジスタＴｄｒは再びダイオード接続されることになる。この際、電源電位の変動分ΔＶＥＬ＝ＶＥＬ２−ＶＥＬ１に応じて、駆動トランジスタＴｄｒには一定量の電流が流れ、また、ゲート電位Ｖｇは上昇する。また、より重要なことに、この上昇分は、当該駆動トランジスタＴｄｒのもつ移動度特性にも応じる。すなわち、移動度が大きければ当該上昇分は大きく、その逆に、移動度が小さければ小さくなる。
以上のように、この〔ｉｉ〕における動作では、各単位回路Ｐ１に含まれる各駆動トランジスタＴｄｒの移動度補償が行われることになる。
【００３７】
なお、前記のΔＶＥＬの大きさは、様々な事情を勘案して決定可能であるが、上述したようなΔＶＥＬの機能に鑑み、実験的、経験的、理論的に予め推測される駆動トランジスタＴｄｒの移動度特性のバラツキの程度等が参照されることによって、当該ΔＶＥＬが設定されると好適である。
【００３８】
〔ｉｉｉ〕データ書込：  次に、リセット信号ＲＳＴ[ｉ]がハイレベルに遷移して第２トランジスタＴｒ２がオフ状態となる一方、走査信号ＧＷＲＴ[ｉ]のローレベル及び第１トランジスタＴｒ１のＯＮ状態はなお継続される。ただし、この際、データ線６には初期化電位ＶＳＴに代えて、適当な電位（データ電位）をもつデータ信号Ｄａｔａが供給される。そうすると、それに応じて第２容量素子Ｃ２の電極（図２中左方の電極）の電位が変動し、さらにそれに伴って駆動トランジスタＴｄｒのゲート電位Ｖｇが変動する。ここで「適当な電位」というのは、当該の有機ＥＬ素子８の発光階調に加えて、第１・第２容量素子Ｃ１・Ｃ２による分圧等の影響を勘案した上で設定される電位であることを含意する。結局、ゲート電位Ｖｇは、データ信号の大きさに応じて変動する。
〔ｉｖ〕駆動：  走査信号ＧＷＲＴ[ｉ]がハイレベルに遷移して第１トランジスタＴｒ１がオフ状態となる一方、発光制御信号ＧＥＬ[ｉ]がローレベルとなることで、発光制御トランジスタＴｅｌがオン状態となる。これにより、有機ＥＬ素子８には、ゲート電位Ｖｇに応じた大きさの駆動電流Ｉｅｌが駆動トランジスタＴｄｒから供給されることになり、当該有機ＥＬ素子８は発光する。
【００３９】
以上の〔ｉ〕〜〔ｉｖ〕までの各動作は、図１に示す全有機ＥＬ素子８ないし全単位回路Ｐ１に関して行われるが、その際、その各動作は、ｉ＝１，２，…，Ｎという順番に従って行われる。すなわち、はじめに第１行目に対応する単位回路Ｐにつき前記〔ｉ〕から〔ｉｖ〕までの動作が行われた後は、第２行目，…，第Ｎ行目に対応する単位回路Ｐという順番で、前記〔ｉ〕から〔ｉｖ〕までの動作が行われる。
【００４０】
以上に述べたような有機ＥＬ装置１００ないし単位回路Ｐ１によれば、次のような効果が奏される。すなわち、第１実施形態によれば、前記〔ｉ〕及び〔ｉｉ〕の動作によって、各単位回路Ｐ１に含まれる各駆動トランジスタＴｄｒに関する閾値電圧及び移動度のバラツキが好適に補償される。この際特に、後者に関しては、高電源電位ＶＥＬ２と低電源電位ＶＥＬ１との差ΔＶＥＬ、及び、閾値電圧補償動作の後の短時間のダイオード接続（第２トランジスタＴｒ２の導通）の利用によって、移動度補償が行われるようになっているので、例えば移動度補償を行うために特別な制御シーケンスを考えたり、あるいは、それに適した回路構成等を用意する必要がない。つまり、第１実施形態では、より簡易な構成によって、移動度補償が実現される。
ちなみに、第１実施形態において、高電源電位ＶＥＬ２と低電源電位ＶＥＬ１との間には、前述のように、ＶＥＬ２＞ＶＥＬ１が成立すべきであるが、本発明においては、その程度（即ち、両者間の、より具体的な関係）について特に限定する必要がない。
【００４１】
＜第２実施形態＞
以下では、本発明に係る第２の実施の形態について図４及び図５を参照しながら説明する。なお、この第２実施形態は、第１実施形態と比べて、移動度補償用トランジスタＴｍｏｂ等が設けられている点について相違するが、その他の点については第１実施形態とほぼ同様である。したがって、以下では、その相違点について主に説明を加え、その他の点についての説明は、適宜簡略化し、又は省略する。
【００４２】
第２実施形態の単位回路Ｐ２は、図４に示すように、第１実施形態の単位回路Ｐ１に含まれる要素に加えて、移動度補償用トランジスタＴｍｏｂ、第３トランジスタＴｒ３及び移動度補償用データ線６０１を含む。
【００４３】
第３トランジスタＴｒ３は、ノードＺ１と駆動トランジスタＴｄｒのドレインとの間に設けられ両者の電気的な導通を制御するスイッチング素子である。第３トランジスタＴｒ３のゲートには前記のセレクタ信号ＳＥＬ[ｉ]が供給される。なお、このセレクタ信号ＳＥＬ[ｉ]の供給のため、第１実施形態とは異なって、１本の走査線３が４本の配線を含むことになる。また、この第３トランジスタＴｒ３は、本発明にいう「第５スイッチング素子」の一具体例に該当する。
移動度補償トランジスタＴｍｏｂは、第３トランジスタＴｒ３の一端とノードＺ１との間に介在する。この移動度補償トランジスタＴｍｏｂのゲートには、移動度補償制御信号ＳｉｇＲ（以下単に「補償信号ＳｉｇＲ」と略す。）が供給される。補償信号ＳｉｇＲは、図５に示すように、所定のパルス幅ｐｗをもつパルス信号であるが、このパルス幅ｐｗは、データ線６に供給されてくるデータ信号Ｄａｔａに応じて、ないしはデータ電位に応じて適宜変化する。
これら第３トランジスタＴｒ３及び移動度補償トランジスタＴｍｏｂは、図４に示すとおり、第２トランジスタＴｒ２との関係において、これと並列関係にある。
【００４４】
移動度補償用データ線６０１は、この補償信号ＳｉｇＲを供給するための信号線である。移動度補償用データ線６０１は、その１本１本が、各データ線６と対となるように、かつ、各データ線６に並行して配列されるように設置される。この移動度補償用データ線６０１は、データ線６とともに、データ線駆動回路１０６に電気的に接続される（図１参照。ただし、図１において移動度補償用データ線６０１は不図示）。
【００４５】
次に、以上のような構成をもつ単位回路Ｐ２の動作ないし作用及び効果について、既に参照した図４及び図５を参照しながら説明する。
まず、第２実施形態においても、第１実施形態において説明した〔ｉ〕の閾値電圧補償動作は全く同様に行われる（図５参照）。第２実施形態では、この後の移動度補償動作に特徴がある。
【００４６】
〔ｉｉａ〕移動度補償：  第２実施形態では、電源線１１３に高電源電位ＶＥＬ２が供給されるようになった後、好適にはそれから一定の時間の経過の後、リセット信号ＲＳＴ[ｉ]はハイレベルを維持したまま、セレクタ信号ＳＥＬ[ｉ]がローレベルに遷移する。このローレベルを維持する期間は、前記パルス幅ｐｗとして予測される最長のものに対応するように定められると好適である。つまり、仮に、最長パルス幅が“ｐｗｍａｘ”と表現されるとするなら、当該期間の長さは、このｐｗｍａｘ以下となるように設定されて好適である。
次に、この期間中を狙って、移動度補償用データ線６０１に、補償信号ＳｉｇＲが供給される。この補償信号ＳｉｇＲのパルス幅ｐｗは、後の〔ｉｉｉ〕データ書込動作において、データ線６に供給が予定されているデータ信号Ｄａｔａの電位（データ電位）に応じる。データ電位は、典型的には所定数の段階をもつので、その場合、パルス幅ｐｗはその段階ごとに定められうる。あるいはパルス幅ｐｗは、全段階数を所定数のグループに分けた場合における当該グループの１個１個に対応するように定められてもよい。いずれにせよ、このパルス幅ｐｗはデータ電位の大きさに応じるので、データ線駆動回路１０６内における補償信号ＳｉｇＲの生成は比較的容易である。
【００４７】
移動度補償トランジスタＴｍｏｂは、このような性格をもつパルス信号たる補償信号ＳｉｇＲをゲートに受けることにより、主に、その導通状態を維持する時間を変化させる。その変化の程度は、前記パルス幅ｐｗの大きさに応じる。つまり、駆動トランジスタＴｄｒのドレインとノードＺ１との間に流れる電流（特に、その流れる時間）は、前記パルス幅ｐｗの大きさに応じて変化する。このようにして、当該パルス幅ｐｗは、主に、移動度補償動作が実行される時間についての調整役を果たす。
【００４８】
以上によると、駆動トランジスタＴｄｒのソース及び第１容量素子Ｃ１の図中上方の電極に、高電源電位ＶＥＬ２が供給されると同時に、駆動トランジスタＴｄｒは、移動度補償トランジスタＴｍｏｂ及び第３トランジスタＴｒ３を介して、ダイオード接続されることになる。この際、電源電位の変動分ΔＶＥＬ＝ＶＥＬ２−ＶＥＬ１に応じ、かつ、前記パルス幅ｐｗの大きさに応じて、駆動トランジスタＴｄｒには一定量の電流が流れ、また、ゲート電位Ｖｇは上昇する。
このようにして、この〔ｉｉａ〕における動作によっても、前記〔ｉｉ〕と同様、各単位回路Ｐ２に含まれる各駆動トランジスタＴｄｒの移動度補償が行われることになる。そして、この場合においては特に、移動度補償の程度が、移動度補償トランジスタＴｍｏｂ、ないしは補償信号ＳｉｇＲによって調整されるようになっているので、有機ＥＬ素子８の発光階調に応じた移動度補償が行われることになる。
【００４９】
この後の動作は、上記第１実施形態と同様である。すなわち、前記〔ｉｉｉ〕のデータ書込動作が行われ、更にその後、前記〔ｉｖ〕の駆動が行われる（図５参照）。
【００５０】
以上に述べたような、第２実施形態に係る単位回路Ｐ２によれば、次のような効果が奏される。
まず、この第２実施形態においても、上記第１実施形態によって奏された作用効果と本質的に異ならない作用効果が奏されることは明白である。すなわち、第２実施形態でも、閾値電圧及び移動度のバラツキが好適に補償される。
【００５１】
そして、第２実施形態では、これに加えて、有機ＥＬ素子８の発光階調に応じた移動度補償が行われることから、その補償の実効性が極めて高まるという効果も得られる。これは、前述のように、〔ｉｉａ〕の移動度補償動作において、図４のノードＺ１及び駆動トランジスタＴｄｒのドレイン間に流れる電流が補償信号ＳｉｇＲのパルス幅ｐｗの大きさによって調整されるようになっており、更に、このパルス幅ｐｗはデータ電位に応じて調整されるようになっているためである。
一般に、上記第１実施形態のように、移動度補償動作が全有機ＥＬ素子８に関していわば一律的に行われるような態様によると、有機ＥＬ素子８がある階調で発光する場合には移動度バラツキを実効的に抑制可能であるが、他の階調ではそうではないという結果が得られる可能性が知られている。この点、前述したような移動度補償が行われることによれば、発光階調の相違に関わることなく移動度補償効果を享受することができる。あるいは同じことであるが、第２実施形態によれば、有機ＥＬ素子８がどのような階調で発光するとしても、ほぼ常に、十分な移動度補償効果を享受することができる。
【００５２】
＜第３実施形態＞
以下では、本発明に係る第３の実施の形態について図６及び図７を参照しながら説明する。なお、この第３実施形態は、第２実施形態と比べて、第２電源線１１３Ｎ等が設けられている点について相違するが、その他の点については第２実施形態とほぼ同様である。したがって、以下では、その相違点について主に説明を加え、その他の点についての説明は、適宜簡略化し、又は省略する。
【００５３】
第３実施形態の単位回路Ｐ３は、図６に示すように、第２実施形態の単位回路Ｐ２に含まれる要素に加えて、第２電源線１１３Ｎ、第２電源用トランジスタＴｒＤ２、第１電源用トランジスタＴｒＤ１を含む。なお、上記第１及び第２実施形態においては、符号１１３が付された要素を単に「電源線」と呼んでいたが、第３実施形態では、上述のように第２電源線１１３Ｎが加えられていることとの関係で、これを「第１電源線１１３」と呼ぶことにする。
【００５４】
第２電源線１１３Ｎは、常に、第１及び第２実施形態における低電源電位ＶＥＬ１に設定される。他方、第１電源線１１３は、常に、高電源電位ＶＥＬ２に設定される。
また、第２電源用トランジスタＴｒＤ２は、第２電源線１１３Ｎと駆動トランジスタＴｄｒのソースとの間に設けられ両者の電気的な導通を制御するスイッチング素子である。第２電源用トランジスタＴｒＤ２のゲートには前記のリセット信号ＲＳＴ[ｉ]が供給される。同様にして、第１電源用トランジスタＴｒＤ１は、第１電源線１１３と駆動トランジスタＴｄｒのソースとの間に設けられ両者の電気的な導通を制御するスイッチング素子である。第１電源用トランジスタＴｒＤ１のゲートには前記のリセット信号ＲＳＴ[ｉ]を反転させた反転リセット信号／ＲＳＴ[ｉ]が供給される。
なお、上記のうち、第１及び第２電源用トランジスタＴｒＤ１及びＴｒＤ２は、それぞれ、本発明にいう「第４スイッチング素子」及び「第３スイッチング素子」の一具体例に該当する。
【００５５】
このような構成によると、前記〔ｉ〕の閾値電圧補償動作において、リセット信号ＲＳＴ[ｉ]がローレベルに遷移している間は、第２電源用トランジスタＴｒＤ２が導通状態となるから、駆動トランジスタＴｄｒのソースには、低電源電位ＶＥＬ１が供給されることになる。他方、この〔ｉ〕閾値電圧補償動作以外の時間においては、リセット信号ＲＳＴ[ｉ]はハイレベルを維持するので、第２電源用トランジスタＴｒＤ２は非導通状態となるとともに、反転リセット信号／ＲＳＴ[ｉ]がゲートに供給される第１電源用トランジスタＴｒＤ１は導通状態となり、駆動トランジスタＴｄｒのソースには、高電源電位ＶＥＬ２が供給されることになる（以上については、図７参照）。
【００５６】
このような、第３実施形態に係る単位回路Ｐ３によっても、上記第１及び第２実施形態によって奏された作用効果と本質的に異ならない作用効果が奏されることは明白である。
そして、この第３実施形態においては特に、電源線として、高電源電位ＶＥＬ２及び低電源電位ＶＥＬ１それぞれのための第１及び第２電源線１１３及び１１３Ｎが備えられているため、上記第１及び第２実施形態のように、１本の電源線１１３を共用するための両電源電位（ＶＥＬ２，ＶＥＬ１）間の切替えが不要となっていることから、当該切替えに伴う消費電力の増大等といった不具合を被るおそれがないという効果も得られる。
【００５７】
以上、本発明に係る実施の形態について説明したが、本発明に係る電気光学装置は、上述した形態に限定されることはなく、各種の変形が可能である。
（１）  上記各実施形態は、相互に排斥する関係にあるわけではなく、適宜に組み合わせ可能である。例えば図８及び図９に示すように、第１実施形態として説明した第２トランジスタＴｒ２を用いた移動度補償動作を行うものと、第３実施形態として説明した第１及び第２電源線１１３及び１１３Ｎによって高電源電位ＶＥＬ２及び低電源電位ＶＥＬ１を供給するものとを併用することが可能である。
各トランジスタの動作態様は、図９に示すとおり、上記第１及び第２実施形態の場合と本質的に異ならない。ただし、この場合、第３実施形態とは異なって、第１及び第２電源用トランジスタＴｒＤ１及びＴｒＤ２にはそれぞれ、使用する電源電位を切り替えるための電位切替信号ＤＳＥ及びその反転信号／ＤＳＥが供給される。
【００５８】
このような形態によっても、上記実施形態によって奏された作用効果と同様の作用効果が奏されることは明白である。また、この形態によれば特に、第１実施形態における簡易性、第３実施形態における電源電位切替え不要、の２つの効果が享受可能である。
【００５９】
（２）  上記第２及び第３実施形態では、閾値電圧補償動作のために第２トランジスタＴｒ２が利用され、移動度補償動作のために第３トランジスタＴｒ３が利用されるとともに、これらそれぞれのために、かつ、各単位回路の別に対応するように、別個の制御信号（ＲＳＴ及びＳＥＬ）が利用されるようになっているが、本発明は、かかる形態に限定されない。
例えば、これら両制御信号のうち一方は、図１に示すようなマトリクス状配列中の隣接する行に属する単位回路のために使用される当該両制御信号の他方と共用されるようになっていてもよい。
より具体的には、次のようである（以下、便宜上、第２実施形態を前提に説明する。）。すなわち、各単位回路Ｐ２は前述のように前記〔ｉ〕〜〔ｉｖ〕の動作を繰り返すことになるが、いま第ｉ行目に位置する単位回路Ｐ２が、〔ｉｉ〕移動度償動作を行っているときには、それに含まれる第３トランジスタＴｒ３を導通状態とするため、セレクタ信号ＳＥＬ[ｉ]はローレベルとなっている。このセレクタ信号ＳＥＬ[ｉ]は、第（ｉ＋１）行目に位置する単位回路Ｐ２のためのリセット信号ＲＳＴ[ｉ＋１]として利用することが可能である。以上により結局、第ｉ行目に属する単位回路Ｐ２において〔ｉｉ〕移動度補償動作が行われているときには、第（ｉ＋１）行目に属する単位回路Ｐ２は、それを追いかけるようにして〔ｉ〕閾値電圧補償動作を開始する、ということになる。
【００６０】
このような形態によれば、隣接する各行間で制御信号の共用化が図られることになるので、制御方法の簡略化、装置構成・回路規模の簡易化・縮小化等をより実効的に実現することができる。
【００６１】
（３）  上記第１実施形態をはじめとする各実施形態では、閾値電圧補償動作及び移動度補償動作が行われる間、第１トランジスタＴｒ１側に位置する第２容量素子Ｃ２の電極を初期化電位ＶＳＴに維持するため、データ線６にその初期化電位ＶＳＴを供給するとともに、第１トランジスタＴｒ１をＯＮ状態にすることがなされているが、本発明は、かかる形態に限定されない。
例えば、図１０及び図１１に示すような構成及び動作方法を採用することができる。
まず、この図１０においては、図２との対比において、第１トランジスタＴｒ１と第２容量素子Ｃ２との間に、初期化トランジスタＴｉｎｉが接続されている点で相違する。この初期化トランジスタＴｉｎｉのドレインには初期化電位ＶＳＴが供給され、そのゲートには、第２リセット信号ＲＳＴ２が供給される。初期化トランジスタＴｉｎｉは、第２リセット信号ＲＳＴ２のハイレベル・ローレベル間の遷移に応じて、導通状態・非導通状態間を遷移する。
このような構成によれば、図１１に示すように、第２リセット信号ＲＳＴ２のローレベルとなる期間を適当に調整することにより、第１実施形態と同様に、第１トランジスタＴｒ１側に位置する第２容量素子Ｃ２の電極を初期化電位ＶＳＴに固定することが可能である。
また、この図１１においては、走査信号ＧＷＲＴ[ｉ]は、リセット信号ＲＳＴ及び第２リセット信号ＲＳＴ２がハイレベルに遷移した後、即ち閾値補償動作及び移動度補償動作が完了した後はじめて、ローレベルになればよい。データ線６には、この期間においてデータ電位が供給される。
このように、図１０及び図１１の形態では、データ線６に初期化電位ＶＳＴを供給する必要がない。
【００６２】
＜応用＞
次に、上記実施形態に係る有機ＥＬ装置１００を適用した電子機器について説明する。
図１２は、上記実施形態に係る有機ＥＬ装置１００を画像表示装置に利用したモバイル型のパーソナルコンピュータの構成を示す斜視図である。パーソナルコンピュータ２０００は、表示装置としての有機ＥＬ装置１００と本体部２０１０とを備える。本体部２０１０には、電源スイッチ２００１およびキーボード２００２が設けられている。
図１３に、上記実施形態に係る有機ＥＬ装置１００を適用した携帯電話機を示す。携帯電話機３０００は、複数の操作ボタン３００１およびスクロールボタン３００２、ならびに表示装置としての有機ＥＬ装置１００を備える。スクロールボタン３００２を操作することによって、有機ＥＬ装置１００に表示される画面がスクロールされる。
図１４に、上記実施形態に係る有機ＥＬ装置１００を適用した情報携帯端末（ＰＤＡ：Personal Digital Assistant）を示す。情報携帯端末４０００は、複数の操作ボタン４００１および電源スイッチ４００２、ならびに表示装置としての有機ＥＬ装置１００を備える。電源スイッチ４００２を操作すると、住所録やスケジュール帳といった各種の情報が有機ＥＬ装置１００に表示される。
【００６３】
本発明に係る有機ＥＬ装置が適用される電子機器としては、図１２から図１４に示したもののほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、ビデオプレーヤ、タッチパネルを備えた機器等が挙げられる。
【符号の説明】
【００６４】
１００……有機ＥＬ装置、１０３……走査線駆動回路、１０６……データ線駆動回路、７……素子基板、３……走査線、６……データ線、６０１……移動度補償用データ線、１１３……電源線（又は第１電源線）、１１３Ｎ……第２電源線、Ｐ１，Ｐ２，Ｐ３，Ｐ４……単位回路、８……有機ＥＬ素子、ＶＥＬ２……高電源電位、ＶＥＬ１……低電源電位、Ｉｅｌ……駆動電流、Ｔｄｒ……駆動トランジスタ、Ｔｅｌ……発光制御トランジスタ、Ｔｒ１〜Ｔｒ３……第１〜第３トランジスタ、Ｔｍｏｂ……移動度補償トランジスタ、ＴｒＤ１，ＴｒＤ２……第１，第２電源用トランジスタ、Ｃ１，Ｃ３……第１，第２容量素子、ＧＷＲＴ[ｉ]……走査信号、ＧＥＬ[ｉ]……発光制御信号、ＲＳＴ[ｉ]……リセット信号、ＳＥＬ[ｉ]……セレクタ信号、ＳｉｇＲ……移動度補償制御信号（略称「補償信号」）、ｐｗ……パルス幅
【図１】
2010224390.tif 000003
【図２】
2010224390.tif 000004
【図３】
2010224390.tif 000005
【図４】
2010224390.tif 000006
【図５】
2010224390.tif 000007
【図６】
2010224390.tif 000008
【図７】
2010224390.tif 000009
【図８】
2010224390.tif 000010
【図９】
2010224390.tif 000011
【図１０】
2010224390.tif 000012
【図１１】
2010224390.tif 000013
【図１２】
2010224390.tif 000014
【図１３】
2010224390.tif 000015
【図１４】
2010224390.tif 000016